(57)【要約】【課題】小型ライトにおいて、先端発光部１０を発光させるための電源を収納する筒状の胴体部３を利用して、装飾性を高めることができるようにする。【解決手段】本発明に係る小型ライトは、先端に発光ダイオードなどからなる発光部１０を有するヘッド部２と、このヘッド部２に連結された胴体部３とを備え、  この胴体部３は、前記発光部１０を発光させるための電池などの電源１７を収納する内筒２０と、この内筒２０の外周面に装飾シート４を介して外嵌装着し得るポリカーボネイトなどの透明の材料からなる外筒２１とを備えている。【選択図】図１
2011233275.tif 000002
【特許請求の範囲】
【請求項１】
発光部（１０）を有するヘッド部（２）と、このヘッド部（２）に連結された胴体部（３）とを備え、
この胴体部（３）は、前記発光部（１０）を発光させるための電源（１７）を収納する内筒（２０）と、この内筒（２０）の外周面に装飾シート（４）を介して外嵌装着し得る透明の外筒（２１）とを備えていることを特徴とする小型ライト。
【請求項２】
前記胴体部（３）には、前記ヘッド部（２）と連結されるのとは反対側となる端部に前記内筒（２０）の外周面から径方向外方へ張り出す尾部鍔（４０）が形成されており、この尾部鍔（４０）により、筒軸方向に沿った装飾シート（４）の脱出防止と外筒（２１）の端部当て止めとが可能とされていることを特徴とする請求項１記載の小型ライト。
【請求項３】
前記内筒（２０）は、前記外筒（２１）が外嵌装着された状態で、この外筒（２１）よりも筒軸方向に沿って延出する部分を有し、この延出部分の外周に前記外筒（２１）の端面に当接する弾性リング（２４）が外嵌されていることを特徴とする請求項１又は請求項２記載の小型ライト。
【請求項４】
前記内筒（２０）の外周面は、前記ヘッド部（２）と連結されるのとは反対側から前記ヘッド部（２）に近づくにほど徐々に径小化する方向のテーパ面に形成されていることを特徴とする請求項１乃至請求項３のいずれか１項に記載の小型ライト。
【請求項５】
前記外筒（２１）の内周面は、前記ヘッド部（２）から遠ざかるほど徐々に径大化する方向のテーパ面に形成されていることを特徴とする請求項１乃至請求項３のいずれか１項に記載の小型ライト。
【請求項６】
前記内筒（２０）の外周面は、前記ヘッド部（２）と連結されるのとは反対側から前記ヘッド部（２）に近づくほど徐々に径小化する方向のテーパ面に形成されていると共に、
前記外筒（２１）の内周面は、前記ヘッド部（２）から遠ざかるほど徐々に径大化する方向のテーパ面に形成されており、
前記内筒（２０）の外周面に形成されるテーパ面と前記外筒（２１）の内周面に形成されるテーパ面とが同一のテーパ角とされることにより、前記内筒（２０）の外周面と前記外筒（２１）の内周面との周間で前記装飾シート（４）を全面的に圧接保持可能となっていることを特徴とする請求項１乃至請求項３のいずれか１項に記載の小型ライト。
【請求項７】
前記内筒（２０）に対して前記外筒（２１）が着脱自在とされており、前記装飾シート（４）が交換自在となっていることを特徴とする請求項１乃至請求項６のいずれか１項に記載の小型ライト。
【請求項８】
前記胴体部（３）は、前記ヘッド部（２）と連結されるのとは反対側となる端面に、前記発光部（１０）を操作するスイッチ（２７）と、このスイッチ（２７）の周囲を囲繞して前記胴体部（３）を前記ヘッド部（２）を上方にして直立させる座部（３３）を備えていることを特徴とする請求項１乃至請求項７のいずれか１項に記載の小型ライト。
【発明の詳細な説明】
【技術分野】
【０００１】
本発明は、小型ライトに関するものである。
本明細書において「小型ライト」の「小型」とは、片手で把持して持ち歩ける程度の大きさを上限として、それより小さいものを言う。従って、懐中電灯やペンライトなどを含むことはもとより、ボタン電池などを電源とするキーホルダー程度の大きさのものも含まれる。
【０００２】
また「小型ライト」の「ライト」は、発光ダイオード（以下では「ＬＥＤ」と言う）を発光源とさせたものを代表例とするが、その他、フィラメント球などの電球を発光源とするものなども含まれるものとする。
【背景技術】
【０００３】
小型ライトとして、単三〜単五程度の棒状の乾電池を電源として、この電源を筒状のケースに収納させ、ケース先端でＬＥＤや電球を発光させる構造のものが周知である（例えば、特許文献１や２など参照）。筒状のケースは把持部を兼ねさせているのが普通であり、把持部としての強度をもたせるためにプラスチック製とされている場合や、アルミニウムやスチールなどの金属により形成されている場合などがあった。
【０００４】
なお、筒状のケースに透明プラスチック製の外筒を外嵌させて、この外筒に先端の電球等から導光させ、発光させるように工夫したものも知られている（特許文献２等参照）。
【先行技術文献】
【特許文献】
【０００５】
【特許文献１】特開２００２−２４５８０２号公報
【特許文献２】特開平４−１８１６０１号公報
【発明の概要】
【発明が解決しようとする課題】
【０００６】
従来公知の小型ライトでは、筒状のケースで把持部を兼ねさせるのが普通であったため、このケースは、強度をもたせることや、ローレット加工を施したりグリップ（滑止め用の凹凸を有するゴムカバーなど）を装着したりして滑止め機能を設けることに主眼がおかれていた。このため、ローレット加工やグリップ表面により醸し出される工業的な審美性は生じているとしても、それを超えて、積極的に装飾性を尊重させるような構造が採用されたものは存在しなかった。
【０００７】
なお、従来公知の小型ライトのなかには、筒状のケースへ導光して発光させるものも知られていた（特許文献２等）。しかし、前記したように、そもそも筒状のケースは把持部を兼ねているから、この把持部が先端の電球等と一緒に発光したところで、その発光により外部を照らしたり自らの発光を外部に認識させたりすることは困難（把持されてしまうから）であると予測される。従って、この従来公知の小型ライトもまた、筒状のケースとして、その装飾性を尊重させたものではないと言わざるを得ない。
【０００８】
本発明は、上記事情に鑑みてなされたものであって、先端発光部を発光させるための電源を収納する筒状の胴体部を利用して、積極的に装飾性を高めるようにした小型ライトを提供することを目的とする。
【課題を解決するための手段】
【０００９】
前記目的を達成するために、本発明は次の手段を講じた。
即ち、本発明に係る小型ライトは、発光部を有するヘッド部と、このヘッド部に連結された胴体部とを備え、この胴体部は、前記発光部を発光させるための電源を収納する内筒と、この内筒の外周面に装飾シートを介して外嵌装着し得る透明の外筒とを備えていることを特徴とする。
【００１０】
前記胴体部には、前記ヘッド部と連結されるのとは反対側となる端部に前記内筒の外周面から径方向外方へ張り出す尾部鍔が形成されており、この尾部鍔により、筒軸方向に沿った装飾シートの脱出防止と外筒の端部当て止めとが可能にする構造を採用することができる。
また、前記内筒は、前記外筒が外嵌装着された状態で、この外筒よりも筒軸方向に沿って延出する部分を有し、この延出部分の外周に前記外筒の端面に当接する弾性リングが外嵌されるものとするのがよい。
【００１１】
さらに、前記内筒の外周面は、前記ヘッド部と連結されるのとは反対側から前記ヘッド部に近づくにほど徐々に径小化する方向のテーパ面に形成されたものとするのがよい。
また、前記外筒の内周面は、前記ヘッド部から遠ざかるほど徐々に径大化する方向のテーパ面に形成されたものとするのがよい。
さらに、前記内筒の外周面は、前記ヘッド部と連結されるのとは反対側から前記ヘッド部に近づくほど徐々に径小化する方向のテーパ面に形成されていると共に、
前記外筒の内周面は、前記ヘッド部から遠ざかるほど徐々に径大化する方向のテーパ面に形成されており、
また、前記内筒の外周面に形成されるテーパ面と前記外筒の内周面に形成されるテーパ面とが同一のテーパ角とされることにより、前記内筒の外周面と前記外筒の内周面との周間で前記装飾シートを全面的に圧接保持可能とするのが、一層好適である。
【００１２】
そして、前記内筒に対して外筒が着脱自在とされており、装飾シートが交換自在なものとしておくことも可能である。
なお、前記胴体部は、前記ヘッド部と連結されるのとは反対側となる端面に、前記発光部を操作するスイッチと、このスイッチの周囲を囲繞して前記胴体部を前記ヘッド部を上方にして直立させる座部を備えているものとしてもよい。
【発明の効果】
【００１３】
本発明に係る小型ライトは、先端発光部を発光させるための電源を収納する筒状の胴体部を利用して、積極的に装飾性を高めることができるものである。
【図面の簡単な説明】
【００１４】
【図１】本発明に係る小型ライトの第１実施形態を示した斜視図である。
【図２】本発明に係る小型ライトの第１実施形態を示した正面図である。
【図３】図２のＡ−Ａ線矢視図（左側面図）である。
【図４】図３のＢ−Ｂ線矢視図（背面図）である。
【図５】図２のＣ−Ｃ線矢視図（平面図）である。
【図６】図２のＤ−Ｄ線矢視図（底面図）である。
【図７】本発明に係る小型ライトの第１実施形態を示した分解斜視図である。
【図８】本発明に係る小型ライトの第１実施形態を側面視し且つ必要に応じて側断面視した状態で示した図である。
【図９】本発明に係る小型ライトの第１実施形態を分解すると共に側面視し且つ必要に応じて側断面視した状態で示した図である。
【図１０】本発明に係る小型ライトのその他の実施形態を示した正面図である。
【図１１】本発明に係る小型ライトのその他の実施形態を示した正面図である。
【図１２】本発明に係る小型ライトのその他の実施形態を示した正面図である。
【発明を実施するための形態】
【００１５】
以下、本発明の実施の形態を、図面に基づき説明する。
［全体構成］
図１乃至図９は、本発明に係る小型ライト１の第１実施形態を示している。この小型ライト１は、全体として円柱形状に形成されたもので、ヘッド部２と、このヘッド部２に連結された胴体部３とを有している。ヘッド部２の先端側から光を照射できるようになっている。そのため、特に限定されるわけではないが、胴体部３を把持して、ヘッド部２を照らしたい場所へ指し向けるような使い方をする。
【００１６】
この小型ライト１は、胴体部３の外周面を通して、その内部に設けられる装飾シート４（図８及び図９参照）を外から見て楽しむことができる（図１参照）。
なお、胴体部３の尾端３ａ（ヘッド部２とは反対側の端部）には連結孔５が設けられており、使用者の好み又は必要に応じて、この連結孔５に、ストラップやチェーン等の連携部材６を結び止めることができるようになっている。
［ヘッド部］
図８及び図９に示すように、ヘッド部２は円筒状に形成され、内部が空洞になっている。本実施形態において、ヘッド部２はアルミニウム又はアルミニウム合金により形成されたものとしてあり、その外周面にはローレット加工が施されたものとしてある。
【００１７】
このヘッド部２の内部には、ヘッド部２の先端部を閉鎖するようにして透明ガラス又は透明プラスチックにより形成された投光面７が設けられている。
また、ヘッド部２内（空洞）に発光部１０が収納されている。発光部１０は、ＬＥＤなどの発光具１１と、この発光具１１を発光させるための発光回路１２（基板）とを有している。この発光部１０（各発光具１１）が発光することで、光が投光面７を透過して外方を照射するようになる。
【００１８】
本実施形態において、発光具１１には高輝度白色ＬＥＤを採用してあり、この発光具１１を、ヘッド部２内の内周壁に沿って円環状に８個配置すると共に、この円環配置の中心位置に１個配置してある。すなわち、発光具１１は合計９個が用いられている。１個の発光具１１によって１６，０００〜１８，０００ｍｃｄの光が得られ、全９個の合計として、明るさ及び照射範囲として十分なものが得られるものとしてある。
【００１９】
なお、発光回路１２は、発光する発光具１１の個数を増減させたり、発光具１１を減光させたり、点滅させたり、発光色を変化させたりできるような切替回路を設けておくこともできる。
この発光回路１２には、胴体部３へ向けて突出するバネ１３が設けられている。このバネ１３は、胴体部３内に収納される後述の電源１７（正極端子１８ａ）に当接して押圧付勢するようになっており、この電源１７から発光回路１２に対して正極（又は負極でもよい）の給電を可能にし、また確実にするための端子として利用される。また電源１７が胴体部３内でガタつくのを防止する作用をも奏することになる。
【００２０】
このヘッド部２には、胴体部３との連結に用いるネジ部１５が設けられている。本実施形態では、ヘッド部２が発光部１０の収納スペースを超えて胴体部３側へ延出形成され、この延出部分で胴体部３の一端部を外嵌状にする構造を採用してある。そのため、前記ネジ部１５はヘッド部２の空洞内周面に設けられた雌ねじとしてある。
［胴体部］
胴体部３は、その全体として有底円筒形に形成されており、内部が空洞となっている。この胴体部３の内部には、発光部１０を発光させるための電源１７が収納される。
【００２１】
なお、この電源１７は、例えば、複数本の乾電池（単３〜５程度）を束ねるような配置で集合させてカセットに収納したものや、複数個のボタン電池を重ね合わせる配置で集合させてカセットに収納したものとすればよい。但し、カセットを用いることに限定されるものではなく、乾電池やボタン電池などをそのまま胴体部３に収納することもできるし、胴体部３の内径に合わせた専用の充電パックとしてもよい。
【００２２】
本実施形態において電源１７は、３本の単４乾電池を直列接続となるようにしてプラスチック製のカセット１８に収納したものを採用してある。このカセット１８には、両端部に正極端子１８ａと負極端子１８ｂとが振り分けて設けられている（図９参照）。
胴体部３は、内筒２０と、この内筒２０に外嵌される外筒２１とを有している。そして、内筒２０の外周面と外筒２１の内周面との周間に、前記した装飾シート４が配置されるようになっている。
【００２３】
胴体部３は、ヘッド部２と連結される側の端部で内筒２０が外筒２１よりも延出する状態に形成されている。この延出部分に対し、ヘッド部２のネジ部１５（雌ねじ）と螺合可能な雄ねじとしてのネジ部２２が設けられている。
また、この延出部分の外周には周溝２３が形成されており、この周溝２３に、Ｏリングなどの弾性リング２４が嵌め付けられるようになっている。この弾性リング２４により、ヘッド部２の内周面と胴体部３（内筒２０）の外周面との間の連結隙間を密封状態にし、発光部１０や電源１７に対する防水機能を高められるようにしてある。また、ヘッド部２と胴体部３とが不用意に外れない（ネジ部１５，２２によるネジ連結構造が緩まない）ように作用する。また、内筒２０に対する外筒２１の回り止めとしての作用も期待できる。
【００２４】
加えて、この弾性リング２４は、胴体部３において内筒２０の外周面と外筒２１の端面との間の連結隙間をも密封状態にするので、内筒２０の外周面と外筒２１の内周面との周間に装飾シート４が配置されているときには、この装飾シート４に対する防湿、防水機能をも奏することになる。従って、装飾シート４に湿気によるシミやカビ、皺などが生じたり、浸水痕が生じたりするのを防ぎ、いつまでも綺麗な状態に維持できる利点がある。
【００２５】
もとより、胴体部３からヘッド部２を外したときにも、内筒２０と外筒２１とが不用意に外れない（筒軸方向で互いに脱出したり位置ズレしたりしない）ようにも作用する。
［胴体部の内筒］
内筒２０はアルミニウム又はアルミニウム合金により形成されており、不透明とされている。また、この内筒２０は有底円筒形に形成されており、前記ヘッド部２と連結される側の端部が開口し、他端側（胴体部３としての尾端３ａ）が閉鎖して底とされている。
【００２６】
本実施形態において、内筒２０は、両端が開口した内筒本体２５と、この内筒本体２５にネジ連結構造によって着脱自在とされる尾部キャップ２６とを有して形成されており、内筒本体２５に尾部キャップ２６を装着することで、内筒２０としての底が形成される構造である。
これら内筒本体２５及び尾部キャップ２６のいずれも、アルミニウム又はアルミニウム合金により形成されている。また尾部キャップ２６の外周面にはローレット加工が施されている。
【００２７】
この尾部キャップ２６内に、前記発光部１０をオンオフなどの操作するためのスイッチ２７を設けることができるようになっている。
このスイッチ２７は、内筒２０としての底面（胴体部３においてヘッド部２と連結されるのとは反対側となる端部）、即ち、尾部キャップ２６の底面に対し、操作部２７ａを露出させている。また、このスイッチ２７には、内筒２０の底部内方、即ち、前記尾部キャップ２６から内筒本体２５内へ突出するようにして、バネ２８が取り付けられている。
【００２８】
このバネ２８は、胴体部３内に収納される電源１７（負極端子１８ｂ）に当接して押圧付勢するようになっており、この電源１７からスイッチ２７に対して負極（又は正極でもよい）の給電を可能にし、また確実にするための端子として利用される。また、前記したヘッド部２のバネ１３と共同して、電源１７が胴体部３内でガタつくのを防止する作用をも奏することになる。
【００２９】
バネ２８が取り付けられた部分の外周部は、例えばプラスチックなどの絶縁材により形成されたリング形のスペーサ２９により、尾部キャップ２６と非導通状態に保持されている。しかし、スイッチ２７は、尾部キャップ２６に埋め込まれるような状態とされることで、スイッチ２７の外周面の一部又は全部が尾部キャップ２６と接触して導通状態となっている。
【００３０】
スイッチ２７は、オン状態にされたときはバネ２８とスイッチ２７の外周面との間を導通させ、オフ状態にされたときはバネ２８とスイッチ２７の外周面との間を非導通にさせる構造となっている。従って、スイッチ２７がオン状態にされることで、電源１７の負極が尾部キャップ２６へ給電され、更に内筒本体２５、及びヘッド部２を通じて発光部１０の発光回路１２へと給電されることになる。内筒本体２５及び尾部キャップ２６、即ち、内筒２０がアルミニウム又はアルミニウム合金等の導電材により形成されていることは、このときの給電を可能にする意味において、重要とされる。
【００３１】
なお、本実施形態において、スイッチ２７には操作部２７ａを押し操作するごとに、オン状態とオフ状態とが切り替わる押しボタンタイプのものを採用してある。しかし、トグルタイプなどの、他のタイプを採用することも可能である。
前記したように、スイッチ２７は、尾部キャップ２６の底面、即ち、内筒２０としての底面に、操作部２７ａを露出させる状態で取り付けられているが、内筒２０としての底面は、スイッチ２７（操作部２７ａ）のまわりを窪ませるようにした操作凹部３２と、この操作凹部３２の外周部を内筒２０の筒軸に直交させて面一にさせた円環状の座部３３とにより形成されており、座部３３はスイッチ２７の周囲を囲繞する形となっている。
【００３２】
すなわち、スイッチ２７の操作部２７ａは、この操作凹部３２の中心部に収まって、内筒２０としての底面から突出しないようになっている。そのため、この座部３３を下にして内筒２０を机上などに立たせるようにした場合、スイッチ２７が座部３３による起立を邪魔することはない。
なお、本実施形態では、操作凹部３２内に、スイッチ２７を覆い隠す状態で、ゴムなどの弾性材により形成されたドーム型のスイッチカバー３４が取り付けられている。そのため、スイッチ２７の操作部２７ａに対する触感が緩和され、操作し易くなり、また見栄えも良好となる。言うまでもなく、このスイッチカバー３４についても、操作凹部３２内に収まって、座部３３による起立を邪魔することがないようにしてある。
【００３３】
内筒本体２５と尾部キャップ２６との間を着脱自在にさせるためのネジ連結構造は、図９に示すように、内筒本体２５側に設けられた雌ねじ３５と、尾部キャップ２６側に設けられた雄ねじ３６とにより形成されている。
なお、尾部キャップ２６には、雄ねじ３６の根本となる部分に周溝３７が形成されており、この周溝３７に、Ｏリングなどの弾性リング３８が嵌め付けられるようになっている。この弾性リング３８により、内筒本体２５と尾部キャップ２６との間の連結隙間を密封状態にし、電源１７やスイッチ２７に対する防水機能を高められるようにしてある。また、内筒本体２５と尾部キャップ２６とが不用意に外れない（雌ねじ３５と雄ねじ３６とによるネジ連結構造が緩まない）ように作用する。
【００３４】
内筒２０には、ヘッド部２と連結されるのとは反対側となる端部で、その外周面から径方向外方へ張り出す尾部鍔４０が形成されている。本実施形態においてこの尾部鍔４０は、内筒本体２５に設けられたものとしている。尾部鍔４０の外径は、尾部キャップ２６の外径とほぼ同径となるように揃えられており、これによって内筒本体２５と尾部キャップ２６とを連結したときの一体感が得られるようになっている。
【００３５】
この尾部鍔４０は、内筒２０の外周面に後述する外筒２１が外嵌され、またこれら内筒２０の外周面と外筒２１の内周面との周間に装飾シート４が配置されるときに、筒軸方向に沿った装飾シート４の脱出防止と外筒２１の端部当て止めとを行う。
なお、内筒２０及び外筒２１は、共に寸胴（筒軸方向の内径や外径の寸法が変化しないもの）でも良いが、この実施形態では、内筒２０は、その外周面が、ヘッド部２と連結されるのとは反対側となる端部（前記尾部鍔４０が設けられる境界部を言う）を、外筒２１の外嵌可能な外径とされた状態で、ヘッド部２に近づくほど徐々に径小化する方向のテーパ面に形成されている。
［胴体部の外筒］
外筒２１はポリカーボネイトなどのプラスチックにより形成されており、無色透明とされている。また、この外筒２１は両端が開口した円筒形に形成されている。
【００３６】
なお、ポリカーボネイトは透明度が高く、装飾シート４を綺麗に見せるうえで、他の透明材料より有益である。またポリカーボネイトは表面に傷が付きにくいので、把持による摩耗や擦り傷、他物との接触傷で透明度が低下することも少ないという利点がある。
外筒２１は、その内周面が、前記ヘッド部２と連結される側の端部を内筒２０への外嵌可能な内径とされた状態で、ヘッド部２から遠ざかるほど徐々に径大化する方向のテーパ面に形成されている。
【００３７】
外筒２１は、その外周面も内周面と同じ向き、同じテーパ角のテーパ面とされており、肉厚が一定とされている。このようなことから、外筒２１の形成時における脱型が容易になり、また脱型後の収縮変形が生じにくい（高精度に成形できる）という利点が得られる。
［胴体部における内筒と外筒との組み合わせ］
前記説明から自明なように、内筒２０の外周面に対し、ヘッド部２に近づくほど徐々に径小化するように形成されたテーパ面と、外筒２１の内周面に対し、ヘッド部２から遠ざかるほど徐々に径大化するように形成されたテーパ面とは、互いに同じ向きのテーパである。
【００３８】
そのうえで、これらテーパ面は、同一のテーパ角とされている。そのため、内筒２０に外筒２１を外嵌させたとき、内筒２０の外周面と外筒２１の内周面とは面的に密接な関係となる（密着するか又は極めて接近した状態で面平行となる）。
従って、これら内筒２０の外周面と外筒２１の内周面との周間に装飾シート４が配置された場合には、装飾シート４はその表裏両面が全面的に圧接保持される状態になる。それ故、この状況下の装飾シート４には、そもそも皺や折れの生じる余地がないものとなる。
【００３９】
なお、図８及び図９に示したように、ヘッド部２と胴体部３とを連結する際に、これら両者間にリングバネ４２を挟み込ませるようにするとよい。このリングバネ４２は、ヘッド部２におけるネジ部１５（雌ねじ）の内径とほぼ同じ外径とし、また胴体部３（内筒２０）の先端環状面に当接して押圧付勢力を生じさせるものとする。
このようなリングバネ４２を用いると、ヘッド部２と胴体部３との連結時には、ネジ１５，２２の緩み止め作用やガタ取り作用が得られ、これらの作用で、胴体部３として、内筒２０と外筒２１との筒軸方向に沿ったガタツキを防止できるものとなる。すなわち、内筒２０の外周面と外筒２１の内周面との周間で装飾シート４が全面的に圧接保持される状態が保障されるようになる。
［装飾シート］
装飾シート４は、キャラクターや乗り物、風景、文字、模様などを印刷や写真、絵などで表示したり、或いは素材自体のもつ風合いなどで表現させたものとする。この装飾シート４の素材は特に限定されるものではなく、例えば、紙、プラスチック製のシート、金属製の薄板や箔、布などとすればよい。
【００４０】
なお、装飾シート４は、内筒２０の外周面と外筒２１の内周面との周間に配置する際に、折れや皺が生じない程度の強度を有したものとするのが好適である。
［使用方法］
本発明の小型ライト１は、言うまでもなく、懐中電灯などとしての使用法、すなわち、対象物や暗所を照らし出すような使い方をすることができる。但し、この使い方が限定されるものではない。
【００４１】
例えば、ペンライトなどのように、暗所での光による演出効果を生じさせる使用法や、警告灯や非常灯、或いは常夜灯などのように、常に発光させて看者に注意や興味を喚起させる使用法など、使用者の工夫次第でどのような使い方をしてもよい。
本発明の小型ライト１は、胴体部３の外周面を通して、その内部に設けられる装飾シート４（図８及び図９参照）を外から見て楽しむことができる（図１参照）。この場合、胴体部３の端部（内筒２０の尾部キャップ２６）に筒軸と直交する円環状の座部３３が形成されているため、この座部３３を下にして机上などに安定して起立させることができる。従って、胴体部３が起立するので、装飾シート４が縦向きで表示又は表現されたものである場合には、これを正常な姿勢として眺めることができるし、小型ライト１が全体として円柱形状であっても、机上などで転がることもない。
【００４２】
なお、電源１７の交換、又は充電を行う場合は、ヘッド部２と胴体部３との連結を解いて、その後、胴体部３内から電源１７を取り出せばよい。このときヘッド部２の外周面に施されたローレット加工により、ヘッド部２と胴体部３との連結解除は容易に行えるものとなっている。
或いは、胴体部３において、内筒２０の内筒本体２５と尾部キャップ２６との連結を解いて、その後、内筒本体２５内から電源１７を取り出すようにしてもよい。このとき尾部キャップ２６の外周面に施されたローレット加工により、内筒本体２５と尾部キャップ２６との連結解除は容易に行えるものとなっている。
【００４３】
発光部１０のメンテナンスをするときは、ヘッド部２と胴体部３との連結を解いて、その後、ヘッド部２を分解すればよい。一方、スイッチ２７のメンテナンスをするときは、胴体部３において、内筒２０の内筒本体２５と尾部キャップ２６との連結を解いて、その後、尾部キャップ２６を分解すればよい。
胴体部３は、内筒２０の内筒本体２５に嵌められた弾性リング２４を外すことにより、内筒２０から外筒２１を抜き出すことが可能であり、当然に、その反対に内筒２０に対して外筒２１を外嵌させることも可能である。すなわち、内筒２０と外筒２１とは互いに着脱自在となっている。そのため、使用者の好みなどに応じて、装飾シート４を交換することが自在に行えるものとなる。
【００４４】
なお、内筒２０と外筒２１とを着脱不可な構造にする（例えば、接着する）ことも当然に可能であり、これによって使用者による装飾シート４の交換を不可とさせることも可能である。このようにすることで、装飾シート４の著作権が乱用されるのを防止することができる。
［その他］
本発明は、上記実施形態に限定されるものではなく、実施の形態に応じて適宜変更可能である。
【００４５】
例えば、ヘッド部２及び胴体部３におけるそれぞれの外径や筒軸方向の長さについては、何ら限定されるものではない。例えば、図１０〜１２に示されるようなものでもよい。
従って、胴体部３であれば、棒状の乾電池を縦に並べた配置に対応させて細径で長大なものにしたり、反対にボタン電池を重ねた配置に対応させて太径で短いものにしたりすることも可能である。
【００４６】
ヘッド部２と胴体部３の外径を合致させることも何ら限定されるものではない。
もとより、これらヘッド部２や胴体部３において、円筒形とすることも限定されるものではなく、断面形として、中空楕円、中空四角（正方形や長方形など）、四角形以外の中空角形としてもよい。また、中空の星形など任意に選択可能である。
胴体部３において、外筒２１は、着色透明としたり半透明としたりしてもよい。
【００４７】
ヘッド部２や胴体部３（内筒２０及び外筒２１）において、それらの素材が限定されるものではない。
スイッチ２７の構造や取付位置なども適宜変更可能である。
【符号の説明】
【００４８】
１  小型ライト
２  ヘッド部
３  胴体部
４  装飾シート
７  投光面
１０  発光部
１７  電源
２０  内筒
２１  外筒
２４  弾性リング
２７  スイッチ
３２  操作凹部
３３  座部
４０  尾部鍔
【図８】
2011233275.tif 000003
【図９】
2011233275.tif 000004
【図１】
2011233275.tif 000005
【図２】
2011233275.tif 000006
【図３】
2011233275.tif 000007
【図４】
2011233275.tif 000008
【図５】
2011233275.tif 000009
【図６】
2011233275.tif 000010
【図７】
2011233275.tif 000011
【図１０】
2011233275.tif 000012
【図１１】
2011233275.tif 000013
【図１２】
2011233275.tif 000014